(57)【要約】【課題】困難な作業を要せず、装飾部材の取り替えを容易に行え、テンプルの外観を容易に変更することが可能な眼鏡フレーム用テンプル及びこれを備えた眼鏡フレームを提供することを課題とする。【解決手段】テンプル本体５は、溝部５３と、スリット部５４とを具備し、前記溝部５３は、内部５３Ｂの幅よりも開口部５３Ｃの幅の方が狭い溝が形成されて断面略Ｃ字状とされ、前記スリット部５４は、前記溝５３の開口部５３Ｃに連接するスリット５４が形成されており、前記装飾部材６は、前記溝５３Ａの内部５３Ｂに嵌合し得る第１部材６１と、該第１部材６１に対向する第２部材６２と、前記第１部材６１と前記第２部材６２とを連結し、前記溝５３Ａの開口部５３Ｃ及び前記スリット５４Ａに挿入される連結部材６３とを具備し、前記第１部材６１の幅Ｈ５及び前記第２部材６２の幅Ｈ６は、スリット幅Ｈ３よりも大きい眼鏡フレーム用テンプル及びこれを備えた眼鏡フレーム１を提供する。【選択図】  図３
0003119770.tif 000002
【実用新案登録請求の範囲】
【請求項１】
テンプル本体と、該テンプル本体に着脱自在に取り付けられる装飾部材とを備える眼鏡フレーム用テンプルであって、
前記テンプル本体は、基端側に形成された溝部と、該溝部よりも先端側に形成されたスリット部とを具備し、
前記溝部は、内部の幅よりも開口部の幅の方が狭い溝が形成されて断面略Ｃ字状とされ、
前記スリット部は、前記溝の開口部に連接するスリットが形成されており、
前記装飾部材は、前記溝の内部に嵌合し得る第１部材と、該第１部材に対向する第２部材と、前記第１部材と前記第２部材とを連結し、前記溝の開口部及び前記スリットに挿入される連結部材とを具備して、断面略Ｉ字状に形成され、
前記第１部材及び前記第２部材の幅は、スリット幅よりも大きいことを特徴とする眼鏡フレーム用テンプル。
【請求項２】
前記スリット部は、前記スリット幅が変化し得るように可撓性を有し、
前記装飾部材が前記テンプル本体に取り付けられていない状態において、前記スリットの少なくとも長手方向中央部のスリット幅が前記連結部材の幅よりも小さく形成されていることを特徴とする請求項１に記載の眼鏡フレーム用テンプル。
【請求項３】
請求項１又は２に記載の眼鏡フレーム用テンプルを備えることを特徴とする眼鏡フレーム。
【考案の詳細な説明】
【技術分野】
【０００１】
本考案は、テンプルの外観を変更することが可能な眼鏡フレーム用テンプル及びこれを備えた眼鏡フレームに関する。
【背景技術】
【０００２】
近年の眼鏡に対するファッション性、デザイン性等の装飾性重視の傾向により、テンプル、ヨロイ、リム等の部品に様々な装飾性を施した眼鏡が商品化されている。特に、テンプルは、眼鏡の側面視において目立ち、眼鏡全体の外観に大きく影響を及ぼすため、一人の使用者が、テンプルが異なる複数の眼鏡を所有し、所有する眼鏡の中から、ＴＰＯ（時（Time）、場所（Place）、場合（Occasion））に最も適した眼鏡を選択して使用することが多く見られる。
【０００３】
しかし、ＴＰＯに最も適した眼鏡を選択して使用するには、テンプルが異なる眼鏡をそれぞれ別個に購入する必要があるため費用が嵩む他、一日の間で各眼鏡を使い分けるような場合には、テンプルが異なる複数の眼鏡を携帯しなければならず不便であるという問題もある。このような問題は、例えば、テンプルに対して装飾部材を取り替え可能とすることで解決することが可能である。
【０００４】
ところで、テンプルへの装飾部材の取り付けは、ネジ止めや、装飾部材をテンプルに固定するための専用の止め具などを用いて行われている（特許文献１参照）。
【特許文献１】特許第３１７１３０９号公報
【考案の開示】
【考案が解決しようとする課題】
【０００５】
しかし、装飾部材を取り付けるために用いられるネジや止め具は小さく、ネジを緩めたり締め直したり、或いは止め具を外したり留めたりして装飾部材を取り替える作業は非常に手間が掛かる。
【０００６】
本考案は、手間を掛けずに、装飾部材の取り替えを容易に行え、テンプルの外観を容易に変更することが可能な眼鏡フレーム用テンプル及びこれを備えた眼鏡フレームを提供することを課題とする。  
【課題を解決するための手段】
【０００７】
前記課題を解決するべく、本考案は、実用新案登録請求の範囲の請求項１に記載の如く、テンプル本体と、該テンプル本体に着脱自在に取り付けられる装飾部材とを備える眼鏡フレーム用テンプルであって、前記テンプル本体は、基端側に形成された溝部と、該溝部よりも先端側に形成されたスリット部とを具備し、前記溝部は、内部の幅よりも開口部の幅の方が狭い溝が形成されて断面略Ｃ字状とされ、前記スリット部は、前記溝の開口部に連接するスリットが形成されており、前記装飾部材は、前記溝の内部に嵌合し得る第１部材と、該第１部材に対向する第２部材と、前記第１部材と前記第２部材とを連結し、前記溝の開口部及び前記スリットに挿入される連結部材とを具備して、断面略Ｉ字状に形成され、前記第１部材及び前記第２部材の幅は、スリット幅よりも大きい眼鏡フレーム用テンプルを提供するものである。
【０００８】
本考案においては、装飾部材の第１部材の先端を溝の内部に、装飾部材の連結部材の先端を溝の開口部に嵌め込み、装飾部材をテンプル本体の先端側に向けて押し込み、テンプル本体の先端側に摺動させる。かかる考案では、開口部の先端側にスリットが連接されて形成されているため、装飾部材をテンプル本体の先端側に摺動させると、連結部材は、開口部及びスリットに順次挿入され、第１部材がスリット部の内側に、第２部材がスリット部の外側に移動し、これにより装飾部材がテンプル本体に取り付けられる。第１部材及び第２部材の幅は、スリット幅よりも大きいため、装飾部材は、テンプル本体に取り付けられると、スリットから抜け落ちてテンプル本体から外れることが無い。また、テンプル本体に取り付けられた装飾部材をテンプル本体の基端側に引っ張れば、装飾部材の連結部材がスリット及び溝の開口部を順次通過し、装飾部材をテンプル本体から取り外すことができる。よって、本考案によれば、装飾部材をテンプル本体に沿って摺動させることで、ネジ止めや、装飾部材を取り付けるための専用の部品などを用いることなく、装飾部材の取り付け及び取外しを行うことが可能である。従って、本考案によれば、手間を掛けずに、装飾部材の取り替えを容易に行うことができるので、テンプルの外観を容易に変更することが可能である。
【０００９】
好ましくは、前記スリット部は、前記スリット幅が変化し得るように可撓性を有し、前記装飾部材が前記テンプル本体に取り付けられていない状態において、前記スリットの少なくとも長手方向中央部のスリット幅が前記連結部材の幅よりも小さく形成されている構成とされる。
【００１０】
スリット部が可撓性を有し、中央部のスリット幅が連結部材の幅よりも小さく形成されていると、連結部材は、スリット幅を広げながら中央部より奥側に挿入されることになる。スリット幅を広げながら連結部材を挿入すると、スリット部が可撓性を有するため、スリット部は、元の状態、即ち、スリットに連結部材が挿入されていないときのスリット幅に戻ろうとするため、連結部材は、スリット部によって挟み込まれる。連結部材がスリット部によって挟み込まれることで、装飾部材を、確実に安定した状態でテンプル本体に取り付けることが可能である。
【００１１】
また、本考案は、前記構成の眼鏡フレーム用テンプルを備える眼鏡フレームとしても提供される。
【考案の効果】
【００１２】
本考案の眼鏡フレーム用テンプル及びこれを備えた眼鏡フレームは、手間を掛けずに、装飾部材の取り替えを容易に行え、テンプルの外観を容易に変更することが可能である。
【考案を実施するための最良の形態】
【００１３】
以下、添付図面を参照しつつ、本考案の一実施形態に係る眼鏡フレーム用テンプル（以
下、テンプルという）及びこれを備えた眼鏡フレーム（以下、眼鏡フレームという）につ
いて説明する。
【００１４】
図１は、装飾部材がテンプル本体に取り付けられた状態の本実施形態に係る眼鏡フレームの外観図であり、図１（ａ）は側面図を示し、図１（ｂ）は平面図を示す。図１に示すように、本実施形態に係る眼鏡フレーム１は、テンプル本体５と、該テンプル本体５に着脱自在に取り付けられる装飾部材６とを具備する左右一対のテンプル４と、左右一対の各テンプル４を回動自在に支持する左右一対のヨロイ３と、左右一対のヨロイ３に固定される前枠２とを備える。
【００１５】
前枠２は、左右一対の各レンズ２１の外縁部を支持しレンズ２１を保持する左右一対のリム２２と、左右一対の各リム２２の内側端部を連結するブリッジ２３と、左右一対の各リム２２の内側端部に取り付けられた左右一対の鼻パッド２４とを備える。そして、左右一対の各リム２２の外側端部には、上述のヨロイ３が取り付けられている。なお、本考案に係る眼鏡フレームに採用されるリムのタイプは限定されるものでないが、本実施形態のリム２２は、レンズ２１の外縁部の上部のみを支持してレンズ２１を保持する所謂ハーフリムタイプとされている。
【００１６】
図１（ｂ）に示すように、左右一対の各ヨロイ３は、平面視略Ｌ字状に形成されており、基端部内側に丁番構造３１を有している。ヨロイ３１は、この丁番構造３１を介して回動自在にテンプル４を支持している。
【００１７】
図２は、装飾部材６がテンプル本体５から取り外された状態の眼鏡フレーム１の外観図であり、図２（ａ）は側面図を示し、図２（ｂ）は平面図を示す。図２に示すように、テンプル本体５は、基端部５１と先端部５６とを備えた細長状に形成されている。基端部５１は、ヨロイ３に回動自在に支持され、且つ装飾部材６を着脱自在に取り付け可能な構成に形成されている。一方、先端部５６は、基端部５１から先端側（後方）に延設され、耳の後部の形状に沿って湾曲した形状に形成されている。
【００１８】
図３は、基端部５１を説明するための図であり、図３（ａ）は基端部５１の側面図を示し、図３（ｂ）は基端部５１を部分的に拡大した平面図を示し、図３（ｃ）は図３（ａ）に示す矢印Ｘ方向から見た基端部５１の端面を示し、図３（ｄ）は図３（ａ）のＡ―Ａ端面図を示し、図３（ｅ）は図３（ａ）のＢ―Ｂ端面図を示す。図３に示すように、基端部５１は、基端側に形成された溝部５３と、該溝部５３よりも先端側に形成されたスリット部５４とを具備している。本実施形態においては、溝部５３とスリット部５４との間に、湾曲部５５が形成されており、溝部５３とスリット部５４とは、湾曲部５５を介して連結されている。
【００１９】
かかる溝部５３は、図３（ｃ）に示すように、内部５３Ｂの上下幅Ｈ１よりも開口部５３Ｃの上下幅Ｈ２の方が狭い溝５３Ａが形成されて断面略Ｃ字状とされている。具体的には、図３（ａ）に示すように、溝部５３は、基端側から先端側に向けて延びる上面部５３１と、上面部５３１と所定の間隔をおいて配設され当該上面部５３１と略平行な下面部５３２と、上面部５３１の内側端部（丁番構造３１側の端部（図３（ｂ）参照））の下面と、下面部５３２の内側端部の上面とを連結する側面部５３３とを備えている。かかる上面部５３１と、下面部５３２と、側面部５３３とによって、基端側から先端側に延びる溝５３Ａが基端部５１に形成されている。図３（ｃ）に示すように、上面部５３１は、その中央部５３１ａに比べて外側端部５３１ｂの下面が下方に突出し、下面部５３２は、その中央部５３２ａに比べて外側端部５３２ｂの上面が上方に突出している。従って、溝５３Ａは、内部５３Ｂの上下幅Ｈ１（上面部５３１の中央部５３１ａと下面部５３２の中央部５３２ａとの間隔）に比べて、開口部５３Ｃの上下幅Ｈ２（上面部５３１の外側端部５３１ｂと下面部５３２の外側端部５３２ｂとの間隔）が狭い形状に形成されている。また、側面部５３３は、図３（ｂ）に示すように、基端部が丁番構造３１に取り付けられ、これによりテンプル本体５がヨロイ３に回動自在に支持されている。
【００２０】
スリット部５４は、基端側から先端側の方向に延びる細長状の上面部５４１と、上面部５４１と所定の間隔をおいて配設され上面部５４１と略平行な細長状の下面部５４２とを備えている。この上面部５４１と下面部５４２とによって、基端側から先端側の方向（溝５３Ａと同一方向）のスリット５４Ａが形成されている。図３（ｄ）に示すように、このスリット５４Ａのスリット幅Ｈ３は、全体に亘って開口部５３Ｃの上下幅Ｈ２より狭くなるように形成されている。図３（ａ）に示すように、本実施形態では、このスリット幅Ｈ３は、スリット５４Ａ全体に亘って同じではなく、スリット５４Ａの長手方向中央部に向かうに従い狭くなり、中央部において最小となるように形成されている。なお、スリット部５４は、スリット幅Ｈ３が変化し得るように可撓性を有している。また、図３（ｂ）に示すように、上面部５４１と下面部５４２との内外方向の内外幅Ｗ１は、溝部５３の上面部５３１の外側端部５３１ａと、下面部５３２の外側端部５３２ａとの内外幅Ｗ２と等しくなるように形成されている。
【００２１】
湾曲部５５は、溝部５３の上面部５３１とスリット部５４の上面部５４１とを連結する上面部５５１と、溝部５３の下面部５３２とスリット部５４の下面部５４２とを連結する下面部５５２とを備えている。湾曲部５５は、この上面部５５１と下面部５５２とで空間５５Ａを形成し、この空間５５Ａによって溝５３Ａの開口部５３Ｃとスリット５４Ａとが連接されている。図３（ｅ）に示すように、上面部５５１は、外側端部５５１ｂの下面が下方に突出し、この外側端部５５１ｂは、溝部５３の上面部５３１の外側端部５３１ｂとスリット部５４の上面部５４１とを連結している。外側端部５５１ｂの内外幅Ｗ３は、溝部５３の上面部５３１の外側端部５３１ｂの内外幅Ｗ２及びスリット部５４の上面部５４１の内外幅Ｗ１と等しくなるように形成されている。また、下面部５５２は、外側端部５５２ｂの上面が上方に突出し、この外側端部５５２ｂは、溝部５３の下面部５３２の外側端部５３２ｂとスリット部５４の下面部５４２とを連結している。外側端部５５２ｂの内外幅Ｗ３は、溝部５３の下面部５３２の外側端部５３２ｂの内外幅Ｗ２及びスリット部５４の下面部５４２の内外幅Ｗ１と等しくなるように形成されている。
【００２２】
また、図３（ａ）に示すように、上面部５５１の外側端部５５１ｂと下面部５５２の外側端部５５２ｂとの間隔Ｈ４（図３（ｅ）参照）は、溝部５３側では開口部５３Ｃの上下幅Ｈ２と等しく、溝部５３から一定の距離離れた位置から除々に小さくなり、スリット部５４側の端部では、スリット５４Ａの湾曲部５５側の端部のスリット幅Ｈ３と等しくなっている。
【００２３】
さらに、図３（ｂ）に示すように、湾曲部５５の上面部５５１と下面部５５２は、溝部５３からスリット部５４側に向かうに従い、外側端部５５１ｂ、５５２ｂから内側へ延びる量が小さくなるように形成されている。
【００２４】
本実施形態においては、溝部５３の上面部５３１、スリット部５４の上面部５４１、湾曲部５５の上面部５５１は、一体的に形成され、同様に、溝部５３の下面部５３２、スリット部５４の下面部５４２、湾曲部５５の下面部５５２も、一体的に形成されている。なお、溝部５３、スリット部５４、湾曲部５５の材質は、スリット部５４に上記の可撓性を付与できるものである限り限定されるものでなく、例えば、金属、プラスチックなどを用いることができる。
【００２５】
図４は、装飾部材６を説明するための図であり、図４（ａ）は装飾部材６の側面図を示し、図４（ｂ）は装飾部材６の平面図を示し、図４（ｃ）は図４（ａ）のＤ―Ｄ断面図を示し、図４（ｄ）、（ｅ）、（ｆ）は装飾部材６をテンプル本体５に取り付けたときのテンプル本体４の断面図を示す。図４に示すように、装飾部材６は、溝５３Ａの内部５３Ｂに嵌合し得る第１部材６１と、該第１部材６１に対向する第２部材６２と、第１部材６１と第２部材６２とを連結し、溝５３Ａの開口部５３Ｃ及びスリット５Ａ４に挿入される連結部材６３とを具備し、断面略Ｉ字状に形成されている。
【００２６】
図４（ｂ）に示すように、第１部材６１と、第２部材６２と、連結部材６３とは、基端部５１と略同じ長さの細長状に形成されており、連結部材６３は、第１部材６１、第２部材６２、連結部材６３の配列方向が、各部材６１、６２、６３の長手方向に対して垂直方向となるように、第１部材６１と第２部材６２を連結している。
【００２７】
図４（ｃ）及び図４（ｄ）に示すように、第１部材６１は、溝５３Ａの内部５３Ｂに嵌合し得るように、上下（第１部材６１、第２部材６２、連結部材６３の配列方向と垂直方向の）幅Ｈ５が、溝５３Ａの内部５３Ｂの上下幅Ｈ１より小さくなるように形成され、内外（第１部材６１、第２部材６２、連結部材６３の配列方向の）幅Ｗ５が、溝５３Ａの内部５３Ｂの深さＷ４より小さくなるように形成されている。また、図４（ｅ）に示すように、連結部材６３がスリット５４Ａに挿入されたときに、第１部材６１がスリット５４Ａから抜けないように、上下幅Ｈ５は、スリット幅Ｈ３（好ましくは、最大のスリット幅Ｈ３）よりも大きくなるように形成されている。この上下幅Ｈ５が実用新案登録請求の範囲の請求項１の第１部材の幅である。
【００２８】
図４（ｅ）に示すように、第２部材６２の上下幅Ｈ６は、連結部材６３がスリット５４Ａに挿入されたときに、第２部材６２がスリット５４Ａから抜けないように、スリット幅Ｈ３（好ましくは、最大のスリット幅Ｈ３）より大きくなるように形成されている。この上下幅Ｈ６が実用新案登録請求の範囲の請求項１の第２部材の幅である。なお、第２部材６２の内外幅Ｗ６は、特に限定されるものでないが、本実施形態では、第１部材６１の内外幅Ｗ５よりも若干大きく形成されている。
【００２９】
図４（ｃ）に示すように、連結部材６３は、上下幅Ｈ７が、第１部材６１の上下幅Ｈ５及び第２部材６２の上下幅Ｈ６よりも小さくなるように形成されている。上下幅Ｈ７がこのような大きさに形成されることで、装飾部材６の断面視が略Ｉ字状とされる。この上下幅Ｈ７は、連結部材６３が、溝５３Ａの開口部５３Ｃに嵌め込まれるように、開口部５３Ｃの上下幅Ｈ２より小さく形成されている。但し、図６（ｅ）では、この上下幅Ｈ７が、スリット幅Ｈ３より小さく示されているが、この上下幅Ｈ７は、スリット幅Ｈ３が最小となるスリット５４Ａの中央部のスリット幅Ｈ３よりは、若干大きく形成されている。この上下幅Ｈ７が、実用新案登録請求の範囲の請求項２の連結部材の幅である。また、連結部材６３が、溝部５３の外側端部５３１ｂ及び外側端部５３２ｂ、スリット部５４の上面部５４１及び下面部５４２、湾曲部５５の外側端部５５１ｂ及び外側端部５５２ｂを摺動し得るように、連結部材６３の内外幅Ｗ７は、溝部５３の外側端部５５１ｂ、５５２ｂの内外幅Ｗ２（図４（ｄ）参照）、リム部５４の上面部５４１及び下面部５４２の内外幅Ｗ１（図４（ｅ）参照）、及び湾曲部５５の外側端部５５１ｂ、５５２ｂの内外幅Ｗ３（図４（ｆ）参照）より広くなるように形成されている。
【００３０】
以上の構成の装飾部材６は、材質は特に限定されるものでなく、プラスチック、エラストマー等の軟質材、硝子、金属等を用いることができる。
【００３１】
上述した構成の眼鏡フレーム１について、装飾部材６の取り付け及び取り外しの動作について説明する。図５は、装飾部材６をテンプル本体５に取り付ける動作を説明するための図であり、図５（ａ）は装飾部材６をテンプル本体５に取り付ける直前の状態を示し、図５（ｂ）は装飾部材６の先端をテンプル本体５の湾曲部５５まで押し込んだ状態を示す。
【００３２】
図５（ａ）に示すように、装飾部材６をテンプル本体５に取り付ける場合は、テンプル本体５を内側に回動させて、溝部５３を眼鏡フレーム１の外側に向ける。そして、装飾部材６の第１部材６１の先端を溝５３Ａの内部５３Ｂに、連結部材６３の先端を溝５３Ａの開口部５３Ｃに、第２部材６２を溝部５３の外側に位置させて、装飾部材６をテンプル本体５の先端側に向けて押し込む。装飾部材６を先端側に押し込むと、第１部材６１は、溝５３Ａの内部５３Ｂを摺動して、空間５５Ａに移動し、連結部材６３は、溝部５３の外側端部５３１ｂ、５３２ｂを摺動して、湾曲部５５の外側端部５５１ｂ、５５２ｂに係合し、第２部材６２は、湾曲部５５の外側に移動する。上述のように、湾曲部５５の上面部５５１と下面部５５２とは、溝部５３からスリット部５４側に向かうに従い、外側端部５５１ｂ、５５２ｂから内側へ伸びる量が小さくなるように形成されている。このため、図５（ｂ）に示すように、第１部材６１は、湾曲部５５まで移動すると、テンプル本体５の内側に現れる。この状態よりさらに装飾部材６がさらに押し込まれると、連結部材６３は、外側端部５５１ｂ、５５２ｂを摺動し、さらにスリット部５４の上面部５４１と下面部５４２とを摺動して、スリット５４Ａに挿入される。これにより、第１部材６１がスリット部５４の内側に移動し、第２部材５２がスリット部５４の外側に移動する。
【００３３】
上述のように、連結部材６３の上下幅Ｈ７は、スリット５４Ａの中央部のスリット幅Ｈ３より若干大きく形成され、スリット部５４が可撓性を有しているため、連結部材６３の先端がスリット５４Ａの中央部まで挿入される際には、連結部材６３は、スリット部５４を押し広げる。このように、スリット部５４が押し広げられながら連結部材６３が挿入されると、スリット部５４が、スリット幅Ｈ３を元の状態、即ち、スリット５４Ａに連結部材６３が挿入されていないときのスリット幅Ｈ３に戻そうとするため、連結部材６３は、スリット部５４の上面部５４１と下面部５４２とによって挟み込まれる。連結部材６３がスリット部５４によって挟み込まれることで、装飾部材６は確実に安定した状態でテンプル本体５に取り付けられる。
【００３４】
以上のように装飾部材６が押し込まれ、後端まで溝部５３に嵌り込むと、装飾部材６がテンプル本体５に取り付けられたことになる。装飾部材６の取り付けが完了すると、テンプル本体５を外側に回動して、図１（ｂ）に示す状態にして、図１（ａ）に示すように、側面視に装飾部材６が現れた状態で眼鏡フレーム１を使用することができる。眼鏡フレーム１は、図１（ｂ）に示すように、テンプル本体５が外側に回動した状態で使用するので、溝部５３とヨロイ３とが常に当接又は近接した状態となる。従って、眼鏡フレーム１の使用中に装飾部材が溝部５３から抜け落ちることがない。また、第１部材６１の上下幅Ｈ５及び第２部材の上下幅Ｈ６はスリット幅Ｈ３よりも大きいため、装飾部材６がスリット部５４から抜け落ちることがない。
【００３５】
テンプル本体５から装飾部材６を取り外す場合は、取り付ける場合と同様に、テンプル４を内側に回動させて、テンプル本体５の溝部５３を眼鏡フレーム１の外側に向ける。そして、装飾部材６をテンプル本体５の基端側に引っ張る。これにより、装飾部材６の連結部材６３がスリット部５４、湾曲部５５の外側端部５５１ｂ、５５２ｂ、溝部５３の外側端部５３１、５３２を摺動して、装飾部材６をテンプル本体５の基端側から取り外すことができる。
【００３６】
よって、本考案によれば、装飾部材６をテンプル本体５に沿って摺動させることで、ネジ止めや、装飾部材６を取り付けるための専用の部品などを用いることなく、装飾部材６の取り付け及び取外しを行うことが可能である。従って、本実施形態に係る眼鏡フレームによれば、装飾部材６の取り替えを容易に行うことができるので、テンプル４の外観を容易に変更することができる。
【図面の簡単な説明】
【００３７】
【図１】図１は、装飾部材がテンプル本体に取り付けられた状態の眼鏡フレームの外観図である。
【図２】図２は、装飾部材がテンプル本体から取り外された状態の眼鏡フレーム１の外観図である。
【図３】図３は、テンプル本体の基端部を説明するための図である。
【図４】図４は、装飾部材を説明するための図である。
【図５】図５は、装飾部材をテンプル本体に取り付ける動作を説明するための図である。
【符号の説明】
【００３８】
１  眼鏡フレーム
４  テンプル
５  テンプル本体
５３  溝部
５３Ａ  溝
５３Ｂ  内部
５３Ｃ  開口部
５４  スリット部
５４Ａ  スリット
６  装飾部材
６１  第１部材
６２  第２部材
６３  連結部材
【図１】
0003119770.tif 000003
【図２】
0003119770.tif 000004
【図３】
0003119770.tif 000005
【図４】
0003119770.tif 000006
【図５】
0003119770.tif 000007